(57)【要約】【課題】自装置以外の他の装置で録画された番組の再生に係る利便性を向上させることが可能な情報処理装置及び情報処理方法を提供する。【解決手段】録画対象の番組の指定を受け付ける第１受付手段と、前記録画対象の番組の録画を外部装置に指示するとともに、当該番組の先頭から所定時間分の第１番組データを記録媒体に録画する録画制御手段と、前記記録媒体に録画された番組の中から、再生対象とする番組の指定を受け付ける第２受付手段と、前記指定された再生対象の番組の第１番組データと、前記外部装置に録画された当該番組の第２番組データとを連続的に再生する再生制御手段と、を備える。【選択図】図２
2013016881.tif 000002
【特許請求の範囲】
【請求項１】
録画対象の番組の指定を受け付ける第１受付手段と、
前記録画対象の番組の録画を外部装置に指示するとともに、当該番組の先頭から所定時間分の第１番組データを記録媒体に録画する録画制御手段と、
前記記録媒体に録画された番組の中から、再生対象とする番組の指定を受け付ける第２受付手段と、
前記指定された再生対象の番組の第１番組データと、前記外部装置に録画された当該番組の第２番組データとを連続的に再生する再生制御手段と、
を備える情報処理装置。
【請求項２】
前記再生制御手段は、前記指定された再生対象の番組の前記第１番組データの再生を開始するとともに、前記外部装置に録画された当該番組の前記第２番組データの取得を開始し、前記第１番組データの再生終了後、この再生終了位置から前記第２番組データの再生を開始する、請求項１に記載の情報処理装置。
【請求項３】
前記録画制御手段は、前記録画対象の番組の全編のうち、前記第１番組データ以降の残りを前記第２番組データとして前記外部装置に録画させる、請求項１又は２に記載の情報処理装置。
【請求項４】
前記番組の放送波を受信するチューナ手段を更に備え、
前記録画制御手段は、前記チューナ手段で受信された前記録画対象の番組の前記第１番組データを前記記録媒体に録画する請求項１〜３の何れか一項に記載の情報処理装置。
【請求項５】
前記外部装置から送信された前記録画対象の番組の前記第１番組データを受信する受信手段を更に備え、
前記録画制御手段は、前記受信手段が受信した前記第１番組データを前記記録媒体に録画する請求項１〜３の何れか一項に記載の情報処理装置。
【請求項６】
第１受付手段が、録画対象の番組の指定を受け付ける第１受付工程と、
録画制御手段が、前記録画対象の番組の録画を外部装置に指示するとともに、当該番組の先頭から所定時間分の第１番組データを記録媒体に録画する録画制御工程と、
第２受付手段が、前記記録媒体に録画された番組の中から、再生対象とする番組の指定を受け付ける第２受付工程と、
再生制御手段が、前記指定された再生対象の番組の第１番組データと、前記外部装置に録画された当該番組の第２番組データとを連続的に再生する再生制御工程と、
を含む情報処理方法。
【発明の詳細な説明】
【技術分野】
【０００１】
本発明の実施形態は、情報処理装置及び情報処理方法に関するものである。
【背景技術】
【０００２】
近時、ＵＰｎＰ（Ｕｎｉｖｅｒｓａｌ  Ｐｌｕｇ  ａｎｄ  Ｐｌａｙ）（登録商標）  ＡＶ規格やＤＬＮＡ（Ｄｉｇｉｔａｌ  Ｌｉｖｉｎｇ  Ｎｅｔｗｏｒｋ  Ａｌｌｉａｎｃｅ）ガイドラインに準拠した電子機器が利用されるようになってきている。係る電子機器では、ネットワークを介して番組の録画や再生を行うことが可能となっている。従来、ネットワークに接続された装置間において、一方の装置で録画されたコンテンツを、他方の装置に送信（移動）させるための技術が提案されている。
【先行技術文献】
【特許文献】
【０００３】
【特許文献１】特許第４６２５７６４号公報
【発明の概要】
【発明が解決しようとする課題】
【０００４】
しかしながら、従来の技術では、自装置以外の他の装置で録画された番組を再生する場合、当該他の装置から番組のデータが送信されるまで再生を開始することができないため、再生が開始されるまで時間を要し、利便性に欠けるという問題があった。
【０００５】
本発明は、上記に鑑みてなされたものであって、自装置以外の他の装置で録画された番組の再生に係る利便性を向上させることが可能な情報処理装置及び情報処理方法を提供することを目的とする。
【課題を解決するための手段】
【０００６】
実施の形態の情報処理装置は、第１受付手段と、録画制御手段と、第２受付手段と、再生制御手段とを備える。第１受付手段は、録画対象の番組の指定を受け付ける。録画制御手段は、録画対象の番組の録画を外部装置に指示するとともに、当該番組の先頭から所定時間分の第１番組データを記録媒体に録画する。第２受付手段は、記録媒体に録画された番組の中から、再生対象とする番組の指定を受け付ける。再生制御手段は、指定された再生対象の番組の第１番組データと、外部装置に録画された当該番組の第２番組データとを連続的に再生する。
【図面の簡単な説明】
【０００７】
【図１】図１は、実施形態の情報処理装置を含むネットワークシステムの構成例を示す図である。
【図２】図２は、テレビジョン装置と録画再生装置との機能構成を示す図である。
【図３】図３は、第１の録画方法を説明するための図である。
【図４】図４は、第２の録画方法を説明するための図である。
【図５】図５は、番組録画処理の手順を示すフローチャートである。
【図６】図６は、番組再生処理の手順を示すフローチャートである。
【図７】図７は、実施形態の情報処理装置を含むネットワークシステムの他の構成例を示す図である。
【発明を実施するための形態】
【０００８】
以下、本発明にかかる情報処理装置をテレビジョン装置に適用した実施形態について説明する。なお、以下に示す実施形態では、ＵＰｎＰ（登録商標）  ＡＶ規格およびＤＬＮＡ（Ｄｉｇｉｔａｌ  Ｌｉｖｉｎｇ  Ｎｅｔｗｏｒｋ  Ａｌｌｉａｎｃｅ）ガイドラインに準拠した装置を用いた例について説明するが、これら装置に制限するものではない。例えば、後述する実施形態に特徴的な構成を、これらの規格およびガイドラインと同等または互換性のある規格等に準拠する装置又はシステムや、独自の仕様による装置又はシステムに適用してもよい。
【０００９】
図１は、本実施形態の情報処理装置を含むネットワークシステムの構成例を示す図である。図１に示すネットワークシステムに接続された電子機器は、ＵＰｎＰ  ＡＶ規格およびＤＬＮＡガイドラインに従っている。
【００１０】
図１に示すネットワークシステムでは、ＵＰｎＰ規格に準拠したデバイスとして、テレビジョン装置１００と、録画装置２００とを有している。テレビジョン装置１００と、録画装置２００とは、Ｅｔｈｅｒｎｅｔ（登録商標）やＨＥＣ（HDMI  Ethernet  Channel）、ＵＳＢ等のネットワークＮを介して通信可能に接続されている。なお、ネットワークＮは、有線、無線、又はこれらを混合したネットワークでもよい。また、ネットワークＮに接続されるデバイスの数や種類は、図１の例に限らないものとする。
【００１１】
テレビジョン装置１００は、制御部１１と、ＲＡＭ１２と、Ｉ／Ｏ制御部１３と、チューナ部１４と、記録部１５と、通信アダプタ１６と、表示部１７と、操作受付部１８とを備えている。
【００１２】
制御部１１は、ＣＰＵ（Central  Processing  Unit）やＧＰＵ（Graphics  Processing  Unit）等のプロセッサ、当該プロセッサが実行する各種プログラムや設定情報を記憶するＲＯＭ（Read  Only  Memory）等を備える（何れも図示せず）。制御部１１は、プロセッサとＲＯＭに記憶されたプログラムとの協働により、テレビジョン装置１００の各部を統括的に制御する。また、制御部１１は、プロセッサとＲＯＭに記憶されたプログラムとの協働により、後述する主録画制御部１１１及び主再生制御部１１２を実現させる。
【００１３】
ＲＡＭ１２は、テレビジョン装置１００の主記憶装置であって、制御部１１のワークエリアとして機能する。Ｉ／Ｏ制御部１３は、シリアル／パラレルインタフェース等の入出力インタフェースである。Ｉ／Ｏ制御部１３は、制御部１１及びＲＡＭ１２と、チューナ部１４、記録部１５、通信アダプタ１６及び表示部１７との間の情報の入出力を制御する。
【００１４】
チューナ部１４は、アンテナ３００を通じてテレビ放送波を受信し、受信したテレビ放送波を復調し、当該テレビ放送波に含まれる映像信号と音声信号とを番組データとして出力する。
【００１５】
記録部１５は、ＨＤＤ（Hard  Disk  Drive）や光ディスク等の記録媒体を有し、制御部１１の制御の下、チューナ部１４によって受信された番組データを記録媒体に録画（記録）する。また、記録部１５は、制御部１１の制御の下、記録媒体に録画された番組データを読み出し、制御部１１に出力する。なお、本実施形態では、テレビジョン装置１００が記録部１５を内蔵する形態としたが、これに限らず、外付けとする形態としてもよい。
【００１６】
通信アダプタ１６は、録画装置２００と接続するための通信インタフェースである。通信アダプタ１６は、制御部１１の制御の下、録画装置２００との間でデータ通信を行う。
【００１７】
表示部１７は、ＬＣＤ（Liquid  Crystal  Display）等の表示パネルを有した表示デバイスである。表示部１７は、制御部１１の制御の下、チューナ部１４が受信した番組データや、制御部１１が再生する番組データ等を表示する。
【００１８】
操作受付部１８は、リモートコントローラＲからの信号を受信する受信装置や、テレビジョン装置１００に設けられた操作ボタン等を有し、リモートコントローラＲや操作ボタンを介して受け付けたユーザからの指示内容を、制御部１１に出力する。
【００１９】
録画装置２００は、制御部２１と、ＲＡＭ２２と、Ｉ／Ｏ制御部２３と、チューナ部２４と、記録部２５と、通信アダプタ２６と、操作受付部２７とを備えている。
【００２０】
制御部２１は、ＣＰＵやＧＰＵ等のプロセッサ、当該プロセッサが実行する各種のプログラムや設定情報を記憶するＲＯＭ等を備える（何れも図示せず）。制御部２１は、プロセッサとＲＯＭに記憶されたプログラムとの協働により、録画装置２００の各部を統括的に制御する。また、制御部２１は、プロセッサとＲＯＭに記憶されたプログラムとの協働により、後述する副録画制御部２１１及び副再生制御部２１２を実現させる。
【００２１】
ＲＡＭ２２は、録画装置２００の主記憶装置であって、制御部２１のワークエリアとして機能する。Ｉ／Ｏ制御部２３は、シリアル／パラレルインタフェース等の入出力インタフェースである。Ｉ／Ｏ制御部２３は、制御部２１及びＲＡＭ２２と、チューナ部２４、記録部２５及び通信アダプタ２６との間の情報の入出力を制御する。
【００２２】
チューナ部２４は、アンテナ３００を通じてテレビ放送波を受信し、受信したテレビ放送波を復調し、当該テレビ放送波に含まれる映像信号と音声信号とを番組データとして出力する。
【００２３】
記録部２５は、ＨＤＤ等の記録媒体を有し、制御部２１の制御の下、チューナ部２４によって受信された番組データを記録媒体に録画（記録）する。また、記録部２５は、制御部２１の制御の下、記録媒体に録画した番組データを読み出す。
【００２４】
通信アダプタ２６は、テレビジョン装置１００と接続するための通信インタフェースである。通信アダプタ２６は、制御部２１の制御の下、テレビジョン装置１００との間でデータ通信を行う。
【００２５】
操作受付部２７は、図示しないリモートコントローラからの信号を受信する受信装置や、録画装置２００に設けられた操作ボタン等を有し、リモートコントローラや操作ボタンを介して受け付けたユーザからの指示内容を、制御部２１に出力する。
【００２６】
アンテナ３００は、デジタル放送等の各種の放送受信に対応したアンテナ装置である。なお、図１では、同一のアンテナ３００にテレビジョン装置１００と録画装置２００とが接続される構成としたが、これに限らないものとする。
【００２７】
図２は、テレビジョン装置１００と録画装置２００との機能構成を示す図である。同図に示すように、テレビジョン装置１００は、制御部１１により実現される機能部として主録画制御部１１１と、主再生制御部１１２とを備える。また、録画装置２００は、制御部２１により実現される機能部として副録画制御部２１１と、副再生制御部２１２とを備える。
【００２８】
主録画制御部１１１は、副録画制御部２１１と協働し、番組の録画を行う機能部である。具体的に、主録画制御部１１１は、チューナ部１４が受信したテレビ放送波に含まれるＥＰＧ（Electronic  Program  Guide）等の電子番組ガイドを取得する。また、主録画制御部１１１は、録画装置２００から送信された電子番組ガイドを受け付けると、自装置で取得した電子番組ガイドに録画装置２００から送信された電子番組ガイドを加え、本システムで録画可能な番組の一覧として表示部１７に表示する。なお、テレビジョン装置１００及び録画装置２００において、電子番組ガイドが同一、つまり録画可能な番組となる構成の場合には、何れか一方の電子番組ガイドを表示する形態としてもよい。
【００２９】
テレビジョン装置１００の表示部１７に表示された電子番組ガイドに基づき、リモートコントローラＲ等を介してユーザにより録画の対象とする番組が指定されると、主録画制御部１１１は、操作受付部１８を介して、この指定された番組を録画対象の番組として受け付ける。なお、録画の対象となる番組は、現在放送中の番組に限らず、将来放送予定の番組の録画予約であってもよい。
【００３０】
主録画制御部１１１は、録画対象の番組の指定を受け付けると、当該番組の録画を指示する指示情報（以下、録画要求という）を、通信アダプタ１６を介して録画装置２００に送信するとともに、自装置の記録部１５において当該番組の録画を開始する。なお、録画要求には、録画対象の番組を特定する情報（例えば、チャンネル番号や放送開始日時、放送終了日時、番組名等）が含まれるものとする。
【００３１】
ここで、主録画制御部１１１は、自装置での番組録画において、録画を開始してから所定時間（例えば１分等）後に停止することで、番組の先頭から所定時間分の番組データを記録部１５に録画する。つまり、テレビジョン装置１００には、番組の冒頭部分のデータが録画されることになる。以下、テレビジョン装置１００の記録部１５に録画された番組データを「第１番組データ」という。
【００３２】
なお、録画の停止に係る所定時間は、番組の全長よりも短い時間であるとする。また、テレビジョン装置１００で録画を行う番組データは、チューナ部１４で受信されたものに限らず、録画装置２００から送信される番組データであってもよい。例えば、録画対象の番組が自装置で受信可能な場合には、チューナ部１４で受信された番組データを録画し、自装置で受信不可能な場合には、録画装置２００から送信された番組データを録画する形態としてもよい。
【００３３】
副録画制御部２１１は、主録画制御部１１１の制御に従い、番組の録画を行う機能部である。具体的に、副録画制御部２１１は、チューナ部２４が受信したテレビ放送波に含まれるＥＰＧ等の電子番組ガイドを取得し、通信アダプタ２６を介してテレビジョン装置１００に送信する。
【００３４】
また、副録画制御部２１１は、通信アダプタ２６を介してテレビジョン装置１００から録画要求を受け付けると、録画要求で指定された番組の番組データを録画する。以下、録画装置２００の記録部２５に録画された番組データを「第２番組データ」という。なお、副録画制御部２１１は、自装置のチューナ部２４で受信された録画対象の番組データを、通信アダプタ２６を介してテレビジョン装置１００に送信する形態としてもよい。
【００３５】
ところで、コピーワンスやダビング１０等のコピー制御技術が番組データに施されている場合には、録画装置２００で受信した番組データをテレビジョン装置１００に送信すると、コピー制御の対象に該当するため、番組データに付されたコピー（或いはムーブ）可能なカウント数（以下、コピー回数という）を調整する必要がある。
【００３６】
そこで、副録画制御部２１１は、自装置で受信した番組データをテレビジョン装置１００に送信する場合、以下に示す二つの録画方法のうち何れか一つを用いることで、コピー回数を整合させる。
【００３７】
第１の録画方法。まず、テレビジョン装置１００で録画を行う所定時間分の番組データをテレビジョン装置１００に送信する。そして、テレビジョン装置１００への送信停止に伴い、残りの番組データの録画を自装置（録画装置２００）で開始する。
【００３８】
この第１の録画方法を採用した場合、図３に示すように、番組の全編（番組データＤ１：コピー回数ｎ（ｎは１以上の整数））のうち、冒頭の所定時間分の第１番組データＤ１１がテレビジョン装置１００で録画され、残りの第２番組データＤ１２が録画装置２００で録画されることになる。ここで、第１番組データＤ１１と第２番組データＤ１２とは、独立したデータとして取り扱うことができるため、ともにコピー回数“ｎ”を保持したまま録画することができる。
【００３９】
第２の録画方法。まず、録画対象の番組データをテレビジョン装置１００に送信するとともに、当該番組データの録画を自装置で開始する。テレビジョン装置１００が録画を行う所定時間が経過すると、当該テレビジョン装置１００への送信を停止する。そして、自装置においては、番組の放送が終了するまで録画を継続する。
【００４０】
この第２の録画方法を採用した場合、図４に示すように、番組の全編（番組データＤ２：コピー回数ｎ（ｎは１以上の整数））のうち、冒頭の所定時間分の第１番組データＤ２１がテレビジョン装置１００で録画され、番組の全編となる第２番組データ（Ｄ２２＋Ｄ２３）が録画装置２００で録画される。ここで、副録画制御部２１１は、テレビジョン装置１００に送信する第１番組データＤ２１のコピー回数を“０”として送信する。また、副録画制御部２１１は、自装置で録画する第２番組データＤ２のうち、当該第２番組データの先頭からテレビジョン装置１００に送信した所定時間までの第２番組データＤ２２（第１番組データＤ２１に相当）のコピー回数を“ｎ−１”とし、残りの第２番組データＤ２３のコピー回数を“ｎ”として録画する。これにより、テレビジョン装置１００及び録画装置２００で録画された番組データのコピー回数を整合させることができる。
【００４１】
図２に戻り、主再生制御部１１２は、副再生制御部２１２と協働し、録画された番組の再生を行う機能部である。具体的に、主再生制御部１１２は、記録部１５に録画された番組（番組データ）から、再生の対象となる番組がリモートコントローラＲ等で指定されると、その指定された番組を再生対象の番組として受け付ける。
【００４２】
主再生制御部１１２は、再生対象の番組の第１番組データを記録部１５から読み出して再生するとともに、当該番組の第２番組データを要求する指示情報（以下、番組要求という）を、通信アダプタ１６を介して録画装置２００に送信する。なお、要求情報には、再生対象の番組（番組コンテンツ）を特定する情報（例えば、チャンネル番号や放送開始日時、放送終了日時、番組名等）が含まれるものとする。
【００４３】
録画装置２００では、テレビジョン装置１００からの番組要求に応じて第２番組データの送信を開始するため、主再生制御部１１２は、録画装置２００から送信された第２番組データをＲＡＭ１２にバッファリングする。また、主再生制御部１１２は、記録部１５から読み出した第１番組データの再生が終端に到達すると、バッファリングした第２番組データの再生を連続的に開始し、以降、録画装置２００から送信される第２番組データをストリーミング再生する。
【００４４】
ここで、主再生制御部１１２は、第１番組データの再生終了後、当該再生終了位置に続く位置から第２番組データを連続的に再生する。具体的に、主再生制御部１１２は、第１番組データの終端の再生時間に続く再生時間から第２番組データの再生を開始することで、第１番組データと第２番組データとが切れ目なくスムーズに再生されるよう制御する。      
【００４５】
副再生制御部２１２は、主再生制御部１１２の制御に従い、番組の再生を行う機能部である。具体的に、副再生制御部２１２は、通信アダプタ２６を介してテレビジョン装置１００から番組要求を受け付けると、この番組要求で指定された再生対象の番組の第２番組データを記録部２５から読み出し、テレビジョン装置１００に送信する。
【００４６】
ここで、録画装置２００から送信する第２番組データは、番組の全編であってもよいし、録画時においてテレビジョン装置１００に送信した所定時間分の番組データ以降の、残りの番組データであってもよい。なお、テレビジョン装置１００がどこまで録画したかについては、録画装置２００がどこまで送信したかによって記録しているものとする。また、テレビジョン装置１００において独自に録画していた場合には、テレビジョン装置１００から録画を停止する時間を録画装置２００に通知することで、録画装置２００ではテレビジョン装置１００がどこまで録画したかを把握しているものとする。
【００４７】
次に、図５及び図６を用いて、本実施形態のネットワークシステムの動作について説明する。
【００４８】
まず、図５を参照して、番組録画時の動作について説明する。図５は、番組録画処理の手順を示すフローチャートである。同図において、ステップＳ１１〜Ｓ１８はテレビジョン装置１００が実行する処理であり、ステップＳ２１〜Ｓ２８は録画装置２００が実行する処理である。なお、本処理の前提として、テレビジョン装置１００において、リモートコントローラＲ等を介して、録画装置２００で受信可能な番組の録画予約が行われたとし、当該番組の録画予約を指示する録画要求が主録画制御部１１１から副録画制御部２１１に送信されたとする。
【００４９】
まず、テレビジョン装置１００の主録画制御部１１１は、自装置に設けられたＲＴＣ（Real  Time  Clock）等の計時装置を用いて、現在時刻が録画対象の番組の放送開始時刻の所定時間前（例えば１分前）に到達したことを検出すると（ステップＳ１１）、通信確立のための起動要求を、通信アダプタ１６を介して録画装置２００に送信する（ステップＳ１２）。
【００５０】
録画装置２００の副録画制御部２１１は、テレビジョン装置１００から起動要求を受信すると、通信アダプタ２６を介してテレビジョン装置１００にアクセスする。これにより、テレビジョン装置１００と録画装置２００との間で通信が確立する（ステップＳ１３、ステップＳ２１）。
【００５１】
続いて、録画装置２００の副録画制御部２１１は、自装置に設けられた計時装置を用いて、現在時刻が録画対象の番組の放送開始時刻に到達するまで待機する（ステップＳ２２；Ｎｏ）。放送開始時刻に到達したことを検出すると（ステップＳ２２；Ｙｅｓ）、副録画制御部２１１は、テレビジョン装置１００に向けて、チューナ部２４で受信された録画対象の番組の番組データの送信を開始する（ステップＳ２３）。また、上述した第２の録画方法を採用する場合、副録画制御部２１１は、番組データの送信開始とともに、自装置において当該番組データの録画を開始する（ステップＳ２４）。
【００５２】
一方、テレビジョン装置１００の主録画制御部１１１は、録画装置２００から番組データを受信すると（ステップＳ１４）、この受信した番組データの録画を開始する（ステップＳ１５）。続いて、主録画制御部１１１は、自装置に設けられた計時装置を用いて、録画を開始してから所定時間が経過するまで待機し（ステップＳ１６；Ｎｏ）、この所定時間に到達したことを検出すると（ステップＳ１６；Ｙｅｓ）、番組データの送信停止を指示する情報（送信停止要求）を録画装置２００に送信する（ステップＳ１７）。そして、主録画制御部１１１は、自装置での番組データの録画を停止し（ステップＳ１８）、処理を終了する。
【００５３】
録画装置２００の副録画制御部２１１では、ステップＳ２３で番組データの送信を開始した後、テレビジョン装置１００から送信停止要求を受信するまで番組データの送信を継続する（ステップＳ２５；Ｎｏ）。テレビジョン装置１００から送信停止要求を受信すると（ステップＳ２５；Ｙｅｓ）、副録画制御部２１１は、テレビジョン装置１００への番組データの送信を停止する（ステップＳ２６）。なお、上述した第１の録画方法を用いる場合、副録画制御部２１１は、ステップＳ２６での番組データの送信を停止にともない、当該番組データの録画を自装置において開始する。
【００５４】
続いて、副録画制御部２１１は、自装置に設けられた計時装置が計時する時刻に基づき、現在時刻が録画対象の番組の放送終了時刻に到達するまで待機する（ステップＳ２７；Ｎｏ）。そして、副録画制御部２１１は、放送終了時刻に到達したことを検出すると（ステップＳ２７；Ｙｅｓ）、番組データの録画を停止し（ステップＳ２８）、処理を終了する。
【００５５】
上記番組録画処理により、テレビジョン装置１００には、番組の冒頭部分となる第１番組データが録画され、録画装置２００には、番組の全編又は冒頭部分を除いた第２番組データが録画されることになる。
【００５６】
次に、図６を参照して、番組データの再生時の動作について説明する。図６は、番組再生処理の手順を示すフローチャートである。同図において、ステップＳ３１〜Ｓ３９はテレビジョン装置１００が実行する処理であり、ステップＳ４１〜Ｓ４５は録画装置２００が実行する処理である。なお、本処理の前提として、テレビジョン装置１００において、記録部１５に録画された番組（第１番組データ）の中から、リモートコントローラＲ等を介して再生対象の番組が指定されたとする。
【００５７】
本処理の前提として、テレビジョン装置１００の操作受付部１８を介して、記録部１５に録画された番組データから再生の対象となる番組が指示されたとする。
【００５８】
まず、テレビジョン装置１００の主再生制御部１１２は、通信アダプタ１６を介して通信確立のための起動要求を録画装置２００に送信する（ステップＳ３１）。続いて、主再生制御部１１２は、再生対象となった番組の第１番組データを記録部１５から読み出し、再生を開始する（ステップＳ３２）。
【００５９】
録画装置２００の副再生制御部２１２では、テレビジョン装置１００からの起動要求を受信すると、通信アダプタ２６を介してテレビジョン装置１００にアクセスする。これにより、テレビジョン装置１００と録画装置２００との間で通信が確立する（ステップＳ３３、ステップＳ４１）。
【００６０】
通信が確立すると、テレビジョン装置１００の主再生制御部１１２は、再生対象の番組の第２番組データを要求する番組要求を録画装置２００に送信する（ステップＳ３４）。録画装置２００の副再生制御部２１２は、テレビジョン装置１００から番組要求を受信すると（ステップＳ４２）、この番組要求で指定された第２番組データを記録部２５から読み出し、テレビジョン装置１００に向けて送信を開始する（ステップＳ４３）。
【００６１】
テレビジョン装置１００の主再生制御部１１２は、録画装置２００から第２番組データを受信すると、当該第２番組データをＲＡＭ１２にバッファリングする（ステップＳ３５）。続いて、主再生制御部１１２は、自装置で再生中の番組データが終端に到達するまで再生を継続し（ステップＳ３６；Ｎｏ）、終端に到達したと判定すると（ステップＳ３６；Ｙｅｓ）、録画装置２００から受信した第２番組データの再生を連続的に開始する（ステップＳ３７）。
【００６２】
一方、録画装置２００の副再生制御部２１２では、送信中の第２番組データが終端に到達するまで送信を継続し（ステップＳ４４；Ｎｏ）、終端に到達したと判定すると（ステップＳ４４；Ｙｅｓ）、テレビジョン装置１００への送信を終了し（ステップＳ４５）、処理を終了する。
【００６３】
また、テレビジョン装置１００の主再生制御部１１２は、再生中の第２番組データが終端に到達するまで再生を継続し（ステップＳ３８；Ｎｏ）、終端に到達したと判定すると（ステップＳ３８；Ｙｅｓ）、第２番組データの再生を終了し（ステップＳ３９）、処理を終了する。
【００６４】
以上のように、本実施形態によれば、テレビジョン装置１００において特定の番組の再生が指示されると、記録部１５に録画された当該番組の冒頭部分となる第１番組データの再生を開始するとともに、当該番組の全編或いは残りの部分となる第２番組データを録画装置２００から取得し、第１番組データの再生終了後第２番組データを連続的に再生する。これにより、自装置（テレビジョン装置１００）に保存した第１番組データから再生を開始し、他の装置（録画装置２００）に録画された第２番組データと合わせて番組全編を再生することができるため、他の装置から番組のデータが送信されるまで再生を待機することなく、直ちに再生を開始することができる。したがって、自装置以外の他の装置で録画された番組の再生に係る利便性を向上させることができる。
【００６５】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加等を行うことができる。また、上記実施形態やその変形は、発明の範囲や要旨に含まれるとともに、特許請求の範囲に記載された発明とその均等の範囲に含まれる。
【００６６】
例えば、上記実施形態では、テレビジョン装置１００が主録画制御部１１１を備えることで、番組データの録画を主として制御する形態としたが、これに限らず、録画装置２００等の他の装置が主録画制御部１１１を備える形態としてもよい。例えば、図７に示すように、制御部やチューナ部を備えたセットトップボックス等の受信装置４００に、上述した主録画制御部１１１の機能を実現させることで、受信装置４００が、テレビジョン装置１００及び録画装置２００での番組録画を制御する構成としてもよい。例えば、図７の構成を用いる場合、受信装置４００の主録画制御部１１１は、自装置で受信された録画対象の番組の番組データのうち、先頭から所定時間分の番組データ（第１データ）をテレビジョン装置１００に送信して録画させるとともに、番組の全編或いは残りの番組データ（第２番組データ）を録画装置２００に送信して録画させる形態としてもよい。
【符号の説明】
【００６７】
１００…テレビジョン装置、１１…制御部、１２…ＲＡＭ、１３…Ｉ／Ｏ制御部、１４…チューナ部、１５…記録部、１６…通信アダプタ、１７…表示部、１８…操作受付部、１１１…主録画制御部、１１２…主再生制御部、２００…録画再生装置、２１…制御部、２２…ＲＡＭ、２３…Ｉ／Ｏ制御部、２４…チューナ部、２５…記録部、２６…通信アダプタ、２７…操作受付部、２１１…副録画制御部、２１２…副再生制御部、３００…アンテナ、４００…受信装置。
【図１】
2013016881.tif 000003
【図２】
2013016881.tif 000004
【図３】
2013016881.tif 000005
【図４】
2013016881.tif 000006
【図５】
2013016881.tif 000007
【図６】
2013016881.tif 000008
【図７】
2013016881.tif 000009